(57)【要約】【課題】基板上に固定されたコネクタに対するフレキシブルケーブルの挿入性を改善する。【解決手段】基板１上に固定されたコネクタ３に挿入されるフレキシブルケーブル２の基板側に面した一面に、または、基板１のコネクタ３の挿入口１０近傍に、コネクタ３の挿入口１０の下面と基板１の上面とのギャップに相当する厚さの板材６を貼着する。これにより、フレキシブルケーブル２をコネクタ３に挿入するとき、フレキシブルケーブル２の先端がコネクタの挿入口１０の高さに位置するので、フレキシブルケーブル２の先端を挿入口１０の下板３ｂの角にあてることなくスムーズに挿入することができ、フレキシブルケーブル２のコネクタ３への挿入性を改善することができる。【選択図】図１
2006114317.tif 000002
【特許請求の範囲】
【請求項１】
基板上に固定されたコネクタの挿入口に挿入されるフレキシブルケーブルにおいて、
前記フレキシブルケーブルを前記コネクタに挿入する際、前記コネクタの挿入口近傍となる位置に、前記コネクタの挿入口の下面と前記基板の上面とのギャップに相当する厚さの板材を備えたフレキシブルケーブル。
【請求項２】
前記板材は、絶縁性のものである請求項１記載のフレキシブルケーブル。
【請求項３】
基板と、
前記基板上に固定されたコネクタと、
先端部に接点が設けられ、この接点の部分が前記コネクタの挿入口に挿入されるフレキシブルケーブルとを備え、
前記コネクタは上板と下板と底板とで構成され、前記下板側が前記基板に固定され、
前記フレキシブルケーブルの前記コネクタの挿入口近傍となる位置に、前記コネクタの挿入口の下面と前記基板の上面とのギャップに相当する厚さの板材を備えた電子装置。
【請求項４】
前記板材は、前記フレキシブルケーブルの接点が設けられた側の面で、前記フレキシブルケーブルを前記コネクタに挿入する際の前記コネクタの挿入口近傍となる位置であって前記接点を除いた部分に貼着された請求項３記載の電子装置。
【請求項５】
基板と、この基板上に固定されたコネクタとを備え、
前記基板の前記コネクタの挿入口近傍に、前記コネクタの挿入口の下面と前記基板の上面とのギャップに相当する厚さの板材を備えた回路基板。
【請求項６】
前記板材は、絶縁性のものである請求項３記載の回路基板。
【発明の詳細な説明】
【技術分野】
【０００１】
本発明は、フレキシブルケーブル接続用コネクタを固定した回路基板と、この接続用コネクタに挿入されるフレキシブルケーブル及びこれらを備えた電子装置に関する。
【背景技術】
【０００２】
液晶ディスプレイパネルと基板との間の信号の入出力や、基板間の信号の入出力は、フレキシブルケーブルと基板上に固定されたコネクタを介して行われる。例えば特許文献１には、表示パネルの電極と同一ピッチに配列された複数のプローブおよび配線が形成された複数のフィルム基板を支持するプローブ取付板を備えた表示パネル用プローバが記載されている。特許文献１に記載の表示パネル用プローバのフィルム基板には、フレキシブルケーブルの一端側が接続され、多端側はコネクタ取付基板に設けられたコネクタに接続されている。
【０００３】
図５は基板上に固定されたコネクタとフレキシブルケーブルとの接続部の断面図である。図５に示すように、基板１の上に固定されたコネクタ３の挿入口１０にフレキシブルケーブル２が挿入される。
【特許文献１】特許第３０７６６００号公報
【発明の開示】
【発明が解決しようとする課題】
【０００４】
携帯電話などの小型化が進んだ機器類においては、内部に搭載されている基板やコネクタおよびフレキシブルケーブルは非常に小さいものとなっており作業中の視認性が悪い。そこで、作業者は基板の組立作業時には目視よりも手先の感覚に頼らざるを得なくなる。
【０００５】
図５の例では、基板１上に固定されたコネクタ３にフレキシブルケーブル２を挿入する際、作業者はフレキシブルケーブル２を基板１に沿わせてコネクタ３へ挿入しようとするが、コネクタ３の挿入口１０の下面と基板１の上面との間には段差があるため、そのまま挿し込むと、フレキシブルケーブル２の先端がコネクタ３の挿入口１０の下端にあたってしまい、スムーズに挿入することができない。
【０００６】
そこで、本発明は、電子装置において、基板上に固定されたコネクタに対するフレキシブルケーブルの挿入性を改善することを目的とする。
【課題を解決するための手段】
【０００７】
本発明は、基板上に固定されたコネクタの挿入口に挿入されるフレキシブルケーブルにおいて、前記フレキシブルケーブルを前記コネクタに挿入する際、前記コネクタの挿入口近傍となる位置に、前記コネクタの挿入口の下面と前記基板の上面とのギャップに相当する厚さの板材を備えたことを特徴とする。
【０００８】
また、本発明の回路基板は、基板と、この基板上に固定されたコネクタとを備え、前記基板の前記コネクタの挿入口近傍に、前記コネクタの挿入口の下面と前記基板の上面とのギャップに相当する厚さの板材を備えたことを特徴とする。
【発明の効果】
【０００９】
本発明のフレキシブルケーブルおよび回路基板によれば、コネクタにフレキシブルケーブルを挿入する際、フレキシブルケーブルまたは基板のコネクタの挿入口近傍に備えた、コネクタの挿入口の下面と基板の上面とのギャップに相当する厚さの板材によって、フレ
キシブルケーブルの先端がコネクタの挿入口の高さに位置するので、フレキシブルケーブルの先端を挿入口の下端の角にあてることなくスムーズに挿入することができ、フレキシブルケーブルのコネクタへの挿入性を改善することができる。
【発明を実施するための最良の形態】
【００１０】
本願の第１の発明は、基板上に固定されたコネクタの挿入口に挿入されるフレキシブルケーブルにおいて、フレキシブルケーブルをコネクタに挿入する際、コネクタの挿入口近傍となる位置に、コネクタの挿入口の下面と基板の上面とのギャップに相当する厚さの板材を備えたことを特徴とする。
【００１１】
この構成により、フレキシブルケーブルをコネクタに挿入するとき、フレキシブルケーブルの先端がコネクタの挿入口の高さに位置するので、フレキシブルケーブルの先端を挿入口の下端の角にあてることなくスムーズに挿入することができ、フレキシブルケーブルのコネクタへの挿入性を改善することができる。
【００１２】
本願の第２の発明は、本願第１の発明において、板材は、絶縁性のものであることを特徴とする。
【００１３】
フレキシブルケーブルに備えられる板材は、ポリカーボネートなどの樹脂製、紙製、ナイロン製など絶縁性のものであればどんなものでもよい。板材を絶縁性とすることで、フレキシブルケーブルと基板間の短絡、もしくは、基板上での短絡を防ぐことができる。
【００１４】
本願の第３の発明は、基板と、この基板上に固定されたコネクタとを備え、基板のコネクタの挿入口近傍に、コネクタの挿入口の下面と基板の上面とのギャップに相当する厚さの板材を備えたことを特徴とする。
【００１５】
この構成により、フレキシブルケーブルを回路基板のコネクタに挿入するとき、フレキシブルケーブルの先端がコネクタの挿入口の高さに位置するので、フレキシブルケーブルの先端を挿入口の下端の角にあてることなくスムーズに挿入することができ、フレキシブルケーブルのコネクタへの挿入性を改善することができる。
【００１６】
本願の第４の発明は、本願第３の発明において、板材は、絶縁性のものであることを特徴とする。
【００１７】
基板のコネクタの挿入口近傍に備えられる板材は、ポリカーボネートなどの樹脂製、紙製、ナイロン製など絶縁性のものであればどんなものでもよい。板材を絶縁性とすることで、フレキシブルケーブルと基板間の短絡、もしくは、基板上での短絡を防ぐことができる。
【００１８】
（実施の形態１）
まず、本発明の実施の形態１における電子装置及びフレキシブルケーブルについて図１を用いて説明する。図１は本発明の実施の形態１におけるフレキシブルケーブルとコネクタとの位置関係を示す図である。
【００１９】
図１の回路基板では、基板１の上にコネクタ３が固定されている。コネクタ３は上板３ａと下板３ｂと両側板（図示せず）と底板３ｃとで構成されている。コネクタ３は一面が挿入口１０として開口した箱状に形成されており、下板３ｂ側が基板１に固定されている。実施の形態１におけるコネクタ３は、コネクタ３の内側で下板３ｂ側に端子７が設けられている下接点コネクタである。なお、コネクタ３の内側で上板３ａ側には、フレキシブルケーブル固定用の突起８が設けられている。
【００２０】
フレキシブルケーブル２の先端部にはメッキ加工された接点５が設けられている。フレキシブルケーブル２の先端部で、接点５が設けられている面の反対面には、フレキシブルケーブル２の先端部を補強するための先端部補強板４が貼着されている。この先端部補強板４は、樹脂製、紙製、ナイロン製など、フレキシブルケーブル２の先端部を補強できる程度の強度を持っているものであればどのようなものでもよい。フレキシブルケーブル２の先端部に先端部補強板４を貼着することによって、フレキシブルケーブル２の先端部はある程度の剛性を持つのでコネクタ３への挿入が容易となる。なお、図１に示すように、貼着する先端部補強板４の厚さは、フレキシブルケーブル２と先端部補強板４と厚さの合計をＳ１、接点５の厚さをＳ２とし、Ｓ１とＳ２の合計をＳとすると、Ｓがコネクタ３の挿入口１０の高さＱよりも小さくなるように設定する。
【００２１】
フレキシブルケーブル２の接点５が設けられた面で、フレキシブルケーブル２をコネクタ３に挿入する際、コネクタ３の挿入口近傍となる位置であって、接点５を除いた先端部には、図１に示すように板材６が貼着されている。板材６は、ポリカーボネートなどの樹脂製、紙製、ナイロン製など絶縁性のものであればどんなものでもよい。
【００２２】
この板材６の役割について図１および図５に基づいて説明する。図５のＢ部に示すように、板材６を貼着してしないフレキシブルケーブル２をコネクタ３へ挿入しようとすると、フレキシブルケーブル２の先端はコネクタ３の挿入口１０の角、つまり下板３ｂの角もしくは面に当たってしまう。
【００２３】
しかし、図１のＡ部に示すように、コネクタ３の挿入口１０の下面と基板の上面とのギャップに相当する厚さの板材６を貼着すると、フレキシブルケーブル２の先端は、板材６により底上げされ、コネクタ３の挿入口１０の高さに位置させることが可能となる。従って、フレキシブルケーブル２の先端を挿入口１０の角、つまり下板３ｂの角もしくは面にあてることなくスムーズにコネクタ３に挿入することができる。
【００２４】
なお、図１に示すように、板材６の厚さＲは、コネクタ３の下板３ｂの厚さをＰとすると、前述した挿入口の高さＱとフレキシブルケーブル２と接点５と先端部補強板４の厚さの合計Ｓとから、Ｐ＜ＲかつＲ＋Ｓ１＜Ｐ＋Ｑを満たすように設定すれば、上述した板材６の効果は常に得られる。
【００２５】
ここで、本発明の実施の形態１における回路基板により、フレキシブルケーブル２がコネクタ３へ挿入される様子を図２に基づいて説明する。図２はフレキシブルケーブルがコネクタへ挿入される様子を示す図であり、（ａ）は挿入前を示す図、（ｂ）は挿入直前を示す図、（ｃ）は挿入後を示す図である。
【００２６】
本発明の実施の形態１におけるコネクタ３は下接点コネクタであるので、フレキシブルケーブル２の接点５を下側つまり基板側に向けて挿入する。図２（ａ）に示すように、フレキシブルケーブル２を基板上に沿わせてコネクタ３の挿入口１０の方向へ移動させると、板材６が貼着されていることにより、フレキシブルケーブル２の先端部はコネクタ３の挿入口１０の高さに位置し、図２（ｂ）に示すように、フレキシブルケーブル２の先端部は、コネクタ３の挿入口１０の角にあたることなく挿入される。そして、図２（ｃ）に示すように、フレキシブルケーブル２の接点５がコネクタ３の端子７に接触して端子７が弾性変形し、フレキシブルケーブル２の先端が完全にコネクタ３に挿入され、電気的な接続が可能となる。なお、コネクタ３に設けられた突起８と端子７の弾性変形とによって、フレキシブルケーブル２は自然には抜けない構造となっている。
【００２７】
本発明の実施の形態１におけるコネクタ３は下接点コネクタであったが、上接点コネク
タを用いた場合においても、本発明の実施の形態１と同様に、フレキシブルケーブル２をコネクタ３に挿入する際、フレキシブルケーブル２の基板側となる面つまり接点５が設けられた面と反対の面に板材６を貼着することにより、本発明の実施の形態１と同様の作用効果が得られる。なお、上接点コネクタを用いた場合、フレキシブルケーブル２の接点５は上側つまり基板側と反対の面に向けられるため、先端部補強板４と板材６とがフレキシブルケーブル２に二重に貼着されることになる。この場合、先端部補強板４と板材６を一体成形したものを貼着してもよい。
【００２８】
（実施の形態２）
次に、本発明の実施の形態２における回路基板について、図３を用いて説明する。図３は本発明の実施の形態２における板材とコネクタの位置関係を示す図である。本発明の実施の形態２における回路基板は、板材６をフレキシブルケーブル２にではなく基板１に貼着する点のみが本発明の実施の形態１と異なる。従って、本発明の実施の形態２に用いられる回路基板を構成する部品については本発明の実施の形態２と同様であるので、同符号を付して説明を省略する。
【００２９】
図３中点線で示されるのはコネクタ３に挿入される際のフレキシブルケーブル２と先端部補強板４と接点５である。本発明の実施の形態２における回路基板方法では、コネクタ３の挿入口１０近傍の基板１上に板材６が貼着される。図３に示すように、コネクタ３にフレキシブルケーブル２を挿入する際、コネクタ３の挿入口１０の高さにフレキシブルケーブル２の先端が位置できればよいので、板材６は、コネクタ３から若干離して貼着してもよいし、コネクタ３の下板３ｂに連接して貼着してもよい。
【００３０】
ここで、本発明の実施の形態２における回路基板により、フレキシブルケーブル２がコネクタ３へ挿入される様子を図４に基づいて説明する。図４はフレキシブルケーブルがコネクタへ挿入される様子を示す図であり、（ａ）は挿入前を示す図、（ｂ）は挿入直後を示す図、（ｃ）は挿入後を示す図である。
【００３１】
図４（ａ）に示すように、フレキシブルケーブル２を板材６上に沿わせてコネクタ３の挿入口１０の方向へ移動させると、図４（ｂ）に示すように、フレキシブルケーブル２の先端部はコネクタ３の挿入口１０の高さに位置し、フレキシブルケーブル２の先端部は、コネクタ３の挿入口１０の角にあたることなく挿入される。そして、図４（ｃ）に示すように、フレキシブルケーブル２の接点５がコネクタ３の端子７に接触して端子７が弾性変形し、フレキシブルケーブル２の先端がコネクタ３に完全に挿入され、電気的な接続が可能となる。なお、コネクタ３に設けられた突起８と端子７の弾性変形とによって、フレキシブルケーブル２は自然には抜けない構造となっている。
【産業上の利用可能性】
【００３２】
本発明は、基板上に固定された接続用コネクタへのフレキシブルケーブルの挿入性を改善するので、フレキシブルケーブルを挿入する接続用コネクタを基板上に備えた回路基板およびこの接続用コネクタに挿入されるフレキシブルケーブルに適用することができる。
【図面の簡単な説明】
【００３３】
【図１】本発明の実施の形態１におけるフレキシブルケーブルとコネクタとの位置関係を示す図
【図２】フレキシブルケーブルがコネクタへ挿入される様子を示す図
【図３】本発明の実施の形態２における板材とコネクタの位置関係を示す図
【図４】フレキシブルケーブルがコネクタへ挿入される様子を示す図
【図５】フレキシブルケーブルに板材を貼着する前のフレキシブルケーブルとコネクタとの位置関係を示す図
【符号の説明】
【００３４】
１    基板
２    フレキシブルケーブル
３    コネクタ
３ａ    上板
３ｂ    下板
３ｃ    底板
４    先端部補強板
５    接点
６    板材
７    端子
８    突起
１０    挿入口
Ｐ    下板の厚さ
Ｑ    挿入口の高さ
Ｒ    板材の厚さ
Ｓ    フレキシブルケーブルと接点と先端部補強板の厚さの合計
Ｓ１    フレキシブルケーブルと先端部補強板の厚さの合計
Ｓ２    接点の厚さ
【図１】
2006114317.tif 000003
【図２】
2006114317.tif 000004
【図３】
2006114317.tif 000005
【図４】
2006114317.tif 000006
【図５】
2006114317.tif 000007